(57)【要約】【課題】  容易に開封できることに加えて、開封にあたって台紙が破損することなく、且つ、再度商品（被収納品）を収納して容器本体と台紙とを再固定することができるブリスターパックを提供する【解決手段】  台紙部１０２とフランジ部１１４を、フランジ部１１４表面と台紙部１０２表面とを跨ぐように且つフランジ部１１４全周に渡って配置された接着テープ１２０、１２２、１２４、１２６により固定し、更に、フランジ部１１４外周縁に差込用突起１１６を形成する。また接着テープは、開封時に剥離除去される第１の接着テープ（接着テープ１２２、１２４、１２６）と、開封時においても残存する第２の接着テープ（接着テープ１２０）で構成し、差込用突起１１６は、第２の接着テープ（接着テープ１２０）が残存する位置の対向位置に形成する。これにより、接着テープ１２２、１２４、１２６を剥離した後においても容器本体１１０と台紙部１０２を再固定できる。【選択図】図１
0003172663.tif 000002
【実用新案登録請求の範囲】
【請求項１】
被収納品を収納する収納凹部の周りにフランジ部が一体成形された樹脂製の容器本体と、前記収納凹部に蓋をするように前記容器本体の裏面側に前記フランジ部を利用して固定される台紙部と、を備えたブリスターパックであって、
前記台紙部は前記フランジ部全体が収まる大きさに構成されると共に、当該台紙部とフランジ部は前記フランジ部の表面と前記台紙部とを跨ぐように且つ前記フランジ部全周に渡って配置された接着テープにより固定され、
更に、前記フランジ部外周縁の少なくとも一箇所に差込用突起が形成され、且つ、前記台紙部側には前記差込用突起の位置に対応する位置に差込穴が形成されていることにより、前記接着テープを剥離した後においても前記容器本体と前記台紙部を固定できる
ことを特徴とするブリスターパック。
【請求項２】
請求項１において、
前記接着テープは、開封時に剥離除去される第１の接着テープと、開封時においても残存する第２の接着テープで構成され、
前記差込用突起が、当該第２の接着テープが残存する位置の対向位置に形成されている
ことを特徴とするブリスターパック。
【請求項３】
請求項１において、
前記接着テープは、開封時に剥離除去される第１の接着テープのみで構成され、
前記差込用突起と前記差込穴が、前記収納凹部を挟んで対向する位置に備わっている
ことを特徴とするブリスターパック。
【考案の詳細な説明】
【技術分野】
【０００１】
本考案は、被収納品を収納する収納凹部の周りにフランジ部が一体成形された樹脂製の容器本体と、収納凹部に蓋をするように前記容器本体の裏面側に前記フランジ部を利用して固定される台紙部と、を備えたブリスターパックに関する。
【背景技術】
【０００２】
従来から、商品（被収納品）を収納して且つ陳列棚に配置する目的で様々な収納方法が考案されている。その一つに収納凹部を備えた容器本体のフランジ部の４方（若しくは３方）を折り曲げて当該折り曲げ部で台紙を把持し更にはステープラーなどで固定する構造の収納容器が存在する（特許文献１を参照）。
【０００３】
また、収納凹部を備えた容器本体のフランジ部の裏面を直接台紙に接着するという構造の収納容器も存在する（特許文献２を参照）。
【０００４】
更に、収納凹部を備えた容器本体のフランジ部の裏面を直接台紙に接着するのではなく、フランジ部の表面側から接着テープを使って台紙に固定するという構造の収納容器も存在する。
【先行技術文献】
【特許文献】
【０００５】
【特許文献１】実用新案登録第３０６６６６３号公報
【特許文献２】特開２０１１−１７３６３６号公報
【特許文献３】特開２００８−２７３５５３号公報
【考案の概要】
【考案が解決しようとする課題】
【０００６】
しかしながら、特許文献１の収納容器の場合、開封にあたってステープラー針を取り外す必要があり、力の無い子供や高齢者は開封が困難であることに加え、取り外したステープラー針で指を怪我する場合もある。
【０００７】
また、特許文献２の収納容器の場合、開封するには台紙を破いて商品（被収納品）を取り出すか、台紙の一部を把持して容器本体から引き剥がす必要がある。一方、台紙には通常商品（被収納品）の注意点や説明書きがされていることが多く、開封にあたって台紙を破いてしまうと当該説明書き等を後から読み返したい時などに不都合があった。また台紙の一部を把持して引き剥がす場合も台紙が大きく折曲し、時には破れてしまうため、同様に説明書等を後から読み返したい時などに不都合があった。
【０００８】
加えて一度開封してしまうとそれは不可逆的であり、再度商品（被収納品）を当該収納容器に戻して収納しておくこと（例えば４本入っている電池の２本だけを使用して残りの２本の電池を商品購入時のパッケージを利用して収納しておくこと）は不可能である。
【０００９】
また、特許文献３の収納容器の場合、開封にあたって台紙を破いたり強い力で引き剥がすことを要しないので、開封後であっても台紙に書かれた説明書き等を読むことは可能となっている。しかし一旦テープを剥がした後は台紙と容器本体の固定は解かれているので再度当該収納容器を使用して商品（被収納品）を収納しておくことは不可能である。
【００１０】
本考案は、これらの問題点を解決するべくなされたものであって、子供や高齢者であっても容易に開封できることに加えて、開封にあたって台紙が破損することなく、且つ、再度商品（被収納品）を収納して容器本体と台紙とを再固定することができるブリスターパックを提供することをその目的としている。
【課題を解決するための手段】
【００１１】
上記課題を解消するべく、本考案は、被収納品を収納する収納凹部の周りにフランジ部が一体成形された樹脂製の容器本体と、前記収納凹部に蓋をするように前記容器本体の裏面側に前記フランジ部を利用して固定する台紙部と、を備えたブリスターパックであって、前記台紙部を前記フランジ部全体が収まる大きさに構成すると共に、当該台紙部とフランジ部を前記フランジ部の表面と前記台紙部とを跨ぐように且つ前記フランジ部全周に渡って配置した接着テープにより固定し、更に、前記フランジ部外周縁の少なくとも一箇所に差込用突起を形成し、且つ、前記台紙部側には前記差込用突起の位置に対応する位置に差込穴を形成している。
【００１２】
このように構成したことによって、前記接着テープを剥離した後においても前記容器本体と前記台紙部を差込用突起と差込穴を利用して固定することができる。即ち、容器本体と台紙との固定が不可逆でなく繰り返し固定することが可能となる。更に、開封時は接着テープを引き剥がすのみで開封できるので子供や高齢者でも簡単に作業でき且つ安全である。加えて開封時に台紙に大きな力（折曲力や剪断力など）が加わらないので、台紙全体が破損することもない。即ち、説明書き等の台紙に書かれた内容を後からいつでも読み返すことが可能となる。
【００１３】
また、前記接着テープを、開封時に剥離除去される第１の接着テープと、開封時においても残存する第２の接着テープで構成し、前記差込用突起を、当該第２の接着テープが残存する位置の対向位置に形成するとよい。
【００１４】
このように構成すれば、第２の接着テープの残存により容器本体と台紙とが完全に離れてしまわないので、いずれか一方を紛失してしまう等の不都合を回避することができる。また、第２の接着テープが残存している位置が支点となって容器本体が台紙に対して回動して開き且つこの第２の接着テープ残存位置の対向位置（収納凹部を挟んで対向する位置）に一箇所だけ差込用突起及び差込穴を形成すれば足りるので、構成が容易である。加えて再固定に際しても、一箇所だけ差込用突起を差込穴に差し込めば再固定作業を完了させることができ作業容易である。
【００１５】
また、前記接着テープは、開封時に剥離除去される第１の接着テープのみで構成し、前記差込用突起と前記差込穴が、前記収納凹部を挟んで対向する位置に備わるように構成してもよい。
【００１６】
このように構成すれば、開封後は容器本体と台紙とを完全に分離できるので、被収納品の出し入れが極めて容易となる。
【考案の効果】
【００１７】
本考案により、容易に開封できることに加えて、開封にあたって台紙が破損することなく、且つ、再度商品（被収納品）を収納して容器本体と台紙とを再固定することができるブリスターパックを提供することができる。
【図面の簡単な説明】
【００１８】
【図１】本考案の実施形態の一例を示したブリスターパックの正面図である。
【図２】同斜視図である。
【図３】接着テープを剥離している第１の状態を示した図である。
【図４】接着テープを剥離している第２の状態を示した図である。
【図５】接着テープ剥離後に容器本体を開いた状態を示した図である。
【図６】差込突起を差込穴に差込んで再固定した状態を示した図である。
【図７】本考案の他の実施形態を示した分解図である。
【考案を実施するための形態】
【００１９】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈ブリスターパックの構成〉
図１及び図２に示しているように、本考案に係るブリスターパック１００は、被収納品（図示していない：以下同じ）を収納する収納凹部１１２の周りにフランジ部１１４が一体成形された樹脂製の容器本体１１０と、この収納凹部１１２に蓋をするように容器本体１１０の裏面側にフランジ部１１４（の裏面）を利用して固定される台紙部１０２と、を備える。
【００２１】
容器本体１１０は、用途に応じて様々な種類の樹脂を利用可能であるが、本実施形態においては透明なＰＥＴ（ポリエチレンテレフタレート）材料により構成される。収納凹部１１２は被収納品を納めることが可能な形状に成形され、本実施形態においては正面視略矩形状に成形されている。またこの収納凹部１１２の周りには全周に渡ってフランジ部１１４が一体成形されている。フランジ部１１４は全周に渡って略同じ幅となるように構成されるが、収納凹部１１２の上側（図１において上側）に位置するフランジ部１１４は他のフランジ部１１４と比較して幅広となるように構成されている。また当該部分の中程には差込用突起１１６が形成されている。
【００２２】
台紙部１０２は、紙製の正面視略矩形状に構成され、上部に陳列棚の陳列棒を挿通可能な係止孔１０４が形成されている。この台紙部１０２は、容器本体１１０側のフランジ部１１４全体が収まる大きさに構成される。またフランジ部１１４に形成された差込用突起１１６の位置に対応する位置に、当該差込用突起１１６を差し込むことが可能な差込穴１０６（図５を参照）が形成されている。
【００２３】
これら容器本体１１０と台紙部１０２とは４本の接着テープ１２０、１２２、１２４、１２６によって接着固定されている。接着テープ１２０、１２２、１２４、１２６は、熱融着テープであり、熱と圧力を加えることによって対象物（ここでは容器本体１１０と台紙部１０２）とを接着する機能を有する。本実施形態においては収納凹部１１２の上下に位置する接着テープ１２０及び接着テープ１２２が両面接着型の熱融着テープ（要するに熱と圧力を加えるとテープ両面側で接着が起こる）である。一方、収納凹部１１２の左右に位置する接着テープ１２４及び接着テープ１２６は片面接着型の熱融着テープ（要するに熱と圧力を加えるとテープ片面側のみで接着が起こる）である。
【００２４】
また接着テープ１２０、１２２、１２４、１２６は、フランジ部１１４の表面側と台紙部１１２の表面側とを跨ぐように且つフランジ部１１４の全周に渡って配置されている。より具体的には、収納凹部１１２の下面側に位置するフランジ部１１４の一辺は接着テープ１２０により固定され、収納凹部１１２の上面側に位置するフランジ部１１４の一辺は接着テープ１２２により固定され、収納凹部１１２の左面側に位置するフランジ部１１４の一辺は接着テープ１２４により固定され、収納凹部１１２の右面側に位置するフランジ部１１４の一辺は接着テープ１２６により固定されている。
【００２５】
また、各接着テープ１２０、１２２、１２４、１２６の端部は、部分的に隣り合う他の接着テープと重なり合って重複部１３０、１３２、１３４、１３６を形成している。具体的には、接着テープ１２０と接着テープ１２６とが重なり合った部分が重複部１３６、接着テープ１２６と接着テープ１２２とが重なり合った部分が重複部１３０、接着テープ１２２と接着テープ１２４とが重なり合った部分が重複部１３２、接着テープ１２４と接着テープ１２０とが重なり合った部分が重複部１３４である。この４つの重複部１３０、１３２、１３４、１３６のうち、重複部１３０及び重複部１３２においては重なり合う２つの接着テープがそれぞれ互いに熱融着し合っている。一方、重複部１３４及び重複部１３６においては重なり合う２つの接着テープは重なり合っているのみで相互に熱融着していない。これらの違いは熱融着時に熱を加える部分を部分的に制御する事によって実現される。その結果、３本の接着テープ１２２、１２４、１２６は一体化して一本の接着テープとして構成され（第１の接着テープ）、接着テープ１２０は他の３本の接着テープ１２２、１２４、１２６から独立して構成されている（第２の接着テープ）。即ち、当該ブリスターパック１００の開封時において、一体化した３本の接着テープ１２２、１２４、１２６は剥離除去される一方で（第１の接着テープ）、独立する第２の接着テープ１２０は開封時においても残存する（第２の接着テープ）構成とされている。
【００２６】
〈ブリスターパックへの被収納品の収納手順〉
ブリスターパック１００への被収納品の収納手順は特定の手順に限られないが、代表的な収納手順を説明する。
【００２７】
最初に容器本体１１０のフランジ部１１４に接着テープ１２０、１２２、１２４、１２６を仮留めする。具体的には、最初に収納凹部１１２の上下に位置する接着テープ１２０及び接着テープ１２２を仮留めする。続いて収納凹部１１２の左右に位置する接着テープ１２４及び接着テープ１２６を仮留めする。仮留めの段階では熱や圧力が加わらないので接着テープ同士が接着して一体化することはない。
【００２８】
続いて、容器本体１１０を裏返して配置する。即ち収納凹部１１２が上側を向くように配置しておく。その後、収納凹部１１２に被収納品を収納する。
【００２９】
続いて、台紙部１０２を位置合わせして容器本体１１０に重ね合わせる。位置合わせが完了したら、接着テープ１２０、１２２、１２４、１２６が配置されている部分を専用の作業機器で上下方向から挟み込んで熱を加えながら圧着する、これにより接着テープ１２０、１２２、１２４、１２６の両面側若しくは片面側が融けて接着が行われる。この時、重複部１３４及び重複部１３６周辺には熱を加えないように機器を制御する。
【００３０】
この一連の手順を経て容器本体１１０と台紙部１０２とが接着テープ１２０、１２２、１２４、１２６により固定され、被収納品の収納が完了する。
【００３１】
〈ブリスターパックの作用・機能〉
ブリスターパックの中に収納されている被収納品を取り出す場合、接着テープ１２６のつまみ部１２６ａ（重複部１３６周辺）を指でつまんで引っ張る。これにより当該接着テープ１２６がフランジ部１１４及び台紙部１０２から引き剥がされる（図３を参照）。引き続き引っ張ると、接着テープ１２６は重複部１３０で隣り合う接着テープ１２２と一体化しているので、接着テープ１２６の引き剥がしが完了すると略同時に接着テープ１２２の引き剥がしが行われる。同様に、接着テープ１２２は重複部１３２で隣り合う接着テープ１２４と一体化しているので、接着テープ１２２の引き剥がしが完了すると略同時に接着テープ１２４の引き剥がしが行われる（図４を参照）。一方、接着テープ１２４は重複部１３４で隣り合う接着テープ１２０と一体化していないので、接着テープ１２２の引き剥がしが完了すると、接着テープ１２０はそのままに一体化した３本の接着テープ１２２、１２４、１２６がブリスターパック１００から分離される。
【００３２】
これにより、収納凹部１１２を取り囲むフランジ部１１４のうち３方向の固定が解かれ、容器本体１１０は、接着テープ１２０が残存している部分を支点として回動して開くことができるようになる。これにより収納凹部１１２に収納されていた被収納品を取り出すことができる(図５を参照)。このように、本考案にかかるブリスターパック１００では、接着テープを引き剥がすのみで開封できるので子供や高齢者でも簡単に作業でき且つ安全である。加えて、開封時に台紙部１０２に大きな力（折曲力や剪断力など）が加わらないので、台紙部１０２全体が破損することもない。即ち、台紙部１０２に説明書き等が記載されている場合であっても書かれた内容を後からいつでも読み返すことが可能である。
【００３３】
また、一度開封した後においても、フランジ部１１４に形成されている差込用突起１１６を、台紙部１０２に形成された差込穴１０６に差し込むことで再び容器本体１１０と台紙部１０２とを閉じて且つその閉じた状態で固定することができる（図６を参照）。もちろんその後も繰り返し開閉することが可能である。
【００３４】
このように、本考案に係るブリスターパック１００は、容易に開封できることに加えて、開封にあたって台紙が破損することなく、且つ、再度商品（被収納品）を収納して容器本体と台紙とを再固定することができる。  
【００３５】
〈その他の実施例〉
上記説明したブリスターパック１００では、接着テープが剥離除去される第１の接着テープと残存する第２の接着テープで構成されていたが、これと異なり、開封時に剥離除去される第１の接着テープのみで構成することも可能である。かかる場合は、前述した重複部１３４において重なり合う接着テープが相互に熱融着するように構成する。その結果、接着テープを引き剥がすと、図７に示しているように、容器本体２１０と台紙２０２とが完全に分離することとなる。なお図７においては前述したブリスターパック１００との対比において同一または類似する部分については数字下二桁が同一の符合を付するに留め、重複説明は省略する。
【００３６】
一方で、フランジ部２１４には収納凹部２１２を挟んで対向する位置にそれぞれ差込用突起２１６、２１８が形成されている。また、台紙部２０２側にはこれら差込用突起２１６、２１８にそれぞれ対応する位置に差込穴２０６、２０８が備わっている。即ち、開封後は容器本体２１０と台紙部２０２とが完全に分離するので、被収納品の出し入れが極めて容易となる一方、差込用突起２１６を差込穴２０６に、及び、差込用突起２１８を差込穴２０８に差し込むことによって、容器本体２１０と台紙部２０２とを再固定することが可能となっている。
【符号の説明】
【００３７】
１００・・・ブリスターパック
１０２・・・台紙部
１０４・・・係止孔
１０６・・・差込穴
１１０・・・容器本体
１１２・・・収納凹部
１１４・・・フランジ部
１１６・・・差込用突起
１２０、１２２、１２４、１２６・・・接着テープ
１２６ａ・・・つまみ部
１３０、１３２、１３４、１３６・・・重複部
【図１】
0003172663.tif 000003
【図２】
0003172663.tif 000004
【図３】
0003172663.tif 000005
【図４】
0003172663.tif 000006
【図５】
0003172663.tif 000007
【図６】
0003172663.tif 000008
【図７】
0003172663.tif 000009